(57)【要約】【課題】廊下灯を大型化させることなく、複数の患者の氏名が表示される廊下灯における個別のプライバシーを保護し、かつ、呼び出しを行った患者を特定できるようにする。【解決手段】ネームプレート２の手前に、ネームプレート２を覆う第一の位置とネームプレート２を閲覧可能とする第二の位置とをスライドするカバー３を設け、ネームプレート２の縦方向の長さよりも短い間隔でネームプレート２を並べて、カバー３が第二の位置にスライドする方向以外の位置に表示灯４を設ける。これにより、カバー３を設けてもネームプレート２の間隔が狭くなり、廊下灯の筐体１を大型化させることなく、複数の患者の個別のプライバシーを保護することができる。また、呼び出しを行っている患者を特定するための表示灯４をカバー３のスライド方向以外の位置に設けたので、廊下灯の筐体１を大型化させることなく呼び出しを行った患者を特定することができる。【選択図】図１
2013226333.tif 000002
【特許請求の範囲】
【請求項１】
部屋内に入院している複数の患者の氏名を表示するためにそれぞれ設けられた複数の表示欄と、
前記複数の表示欄の手前にそれぞれ配置され、前記表示欄を覆う第一の位置と前記表示欄を閲覧可能とする第二の位置とを手動にてスライドするカバーと、
前記部屋の出入口近傍の廊下側の壁面に取り付けられており、前記表示欄の縦方向の長さよりも短い間隔で前記表示欄を複数並べて視認可能とする前記表示欄と同数の第一の開口部、および、前記カバーが前記第二の位置にスライドしている際に前記カバーを突出させる第二の開口部を備えた筐体と、
前記カバーが前記第二の位置にスライドする方向以外の位置であり、かつ、前記複数の表示欄の近傍にそれぞれ設けられ、前記部屋内に設置されたナースコール子機により呼び出しが行われた場合に、点灯または点滅することにより、前記呼び出しを行っているナースコール子機を特定するための表示灯と、
を備えたことを特徴とする廊下灯。
【発明の詳細な説明】
【技術分野】
【０００１】
本発明は、病院や介護施設などで患者や被介護者からの要求に応じて看護師や介護者を呼び出す際に発光するとともに、病室内に居る患者の氏名を表示するナースコールシステム用の廊下灯に関する。
【背景技術】
【０００２】
従来、ナースコールシステムでは、患者や被介護者（以下、まとめて患者と記載する）の近辺（例えば、ベッド近傍など）に設置されたナースコール子機と看護師や介護者（以下、まとめて医療従事者と記載する）の常駐するスタッフルームなどに設置されたナースコール親機とを有線や無線などにより接続している。このように構成されたナースコールシステムでは、患者がナースコール子機に設けられた呼出操作部を操作することによって、ナースコール親機に設けられた報知部が動作し、患者が医療従事者を呼び出すことができる。医療従事者は、ナースコール親機に設けられたハンドセットをオフフックして応答を行うとともに、患者と通話を行うことができる。
【０００３】
また、このようなナースコールシステムでは、ナースコール子機とナースコール親機との間に、廊下灯を設置することが一般的である。廊下灯は、病室などの部屋の出入口近傍の廊下側の壁面に取り付けられている。また、廊下灯は、ナースコール親機と連動しており、患者がナースコール子機の呼出操作部を操作して呼び出しを行うと、ナースコール子機は、ナースコール親機および廊下灯に呼び出しを通知する。このとき、廊下灯は廊下灯に設けたＬＥＤ（Light Emitting Diode）などを発光させることにより廊下灯が点灯／点滅し、廊下灯が設置されている病室で呼び出しが行われていることを知らせる。これにより、廊下に居る医療従事者などは、呼び出しを行った患者が居る病室を特定することができる。
【０００４】
また、廊下灯は、この廊下灯を取り付けた病室の番号やその病室に入院している患者の氏名などが表示されている。ここで、患者の氏名などの表示方法としては、手書きや印刷によるものが考えられる。その場合、プライバシー保護の観点から改善の要望がある。これに対して、廊下灯の患者の氏名が表示されている表面部分にスライド式のカバーを取り付け、必要に応じて医療従事者がカバーをスライドさせることで、通常はカバーにより隠されている患者の氏名を医療従事者が必要に応じて確認することができるようにする技術が知られている（例えば、特許文献１など）。
【先行技術文献】
【特許文献】
【０００５】
【特許文献１】特開２００４−９４７６４号公報
【発明の概要】
【発明が解決しようとする課題】
【０００６】
上述した特許文献１に記載の技術では、各患者の氏名の表示に対して側部に表示灯が取り付けられており、表示灯の点灯状況により呼び出しを行った患者を特定することができる。しかしながら、スライド式のカバーが全ての患者の氏名の表示を隠すか、全ての患者の氏名を表示するかの二択となってしまうため、呼び出しを行っていない患者の氏名が不用意に表示されてしまうという問題があった。
【０００７】
このような問題を解決するために、各患者の氏名の表示欄に対して個別にスライド式のカバーを取り付ける方法が考えられる。しかしながら、個別にスライド式のカバーを取り付けた場合、特許文献１と同様に上方向にスライドさせると、各患者の氏名の表示欄の距離に対してスライドさせる寸法を加味しなければならなくなるため、廊下灯が大型化してしまうという問題があった。
【０００８】
本発明は、このような問題を解決するために成されたものであり、廊下灯を大型化させることなく、複数の患者の氏名が表示される廊下灯における個別のプライバシーを保護し、かつ、呼び出しを行った患者を特定することができるようにすることを目的とする。
【課題を解決するための手段】
【０００９】
上述した課題を解決するために、本発明では、患者の氏名を表示するための複数の表示欄の手前に、表示欄を覆う第一の位置と表示欄を閲覧可能とする第二の位置とを手動にてスライドするカバーを設け、表示欄の縦方向の長さよりも短い間隔で表示欄を複数並べて視認可能とする第一の開口部、および、カバーが第二の位置にスライドしている際にカバーを突出させる第二の開口部を筐体に設けて、カバーが第二の位置にスライドする方向以外の位置であり、かつ、表示欄の近傍に設けられ、呼び出しを行っている患者を特定するための表示灯を設けるようにしている。
【発明の効果】
【００１０】
上記のように構成した本発明によれば、患者の氏名を表示するための表示欄を、この表示欄の縦方向の長さよりも短い間隔で縦方向に並べ、表示欄を隠すカバーを左右方向にスライドさせているので、カバーを設けても表示欄の間隔が狭くなり、廊下灯を大型化させることなく、複数の患者の個別のプライバシーを保護することができる。また、呼び出しを行っている患者を特定するための表示灯をカバーのスライド方向以外の位置に設けたので、廊下灯を大型化させることなく呼び出しを行った患者を特定することができる。
【図面の簡単な説明】
【００１１】
【図１】本実施形態による廊下灯の外観を示す正面図である。
【図２】本実施形態による廊下灯の外観を示す左側面図である。
【図３】本実施形態による廊下灯の断面を示す図である。
【発明を実施するための形態】
【００１２】
以下、本発明の一実施形態を図面に基づいて説明する。図１は、本実施形態による廊下灯の外観を示す正面図であり、図２は、本実施形態による廊下灯の外観を示す左側面図である。本実施形態による廊下灯は、図示しないナースコール子機と図示しないナースコール親機との間に設けられている。また、本実施形態による廊下灯は、筐体１、ネームプレート（特許請求の範囲の表示欄に該当する）２、カバー３、表示灯４、復旧ボタン５を備えて構成されている。
【００１３】
筐体１は、病室などの部屋の出入口近傍の廊下側の壁面に取り付けられている。また、筐体１は、正面部分に複数の第一の開口部１ａが形成されている。また、筐体１は、側面部分にも複数の第二の開口部１ｂが形成されている。ここで、第一の開口部１ａおよび第二の開口部１ｂは、ともに矩形である。
【００１４】
ネームプレート２は、筐体１が設置されている病室に入院している患者の氏名を表示するためのものであり、手書きや印刷などにより患者の氏名を表記している。ここで、ネームプレート２は、筐体１に着脱自在であり、入院している患者が退院したり、他の病室に移されたりした場合に筐体１から取り外され、新しく患者が入院したり、他の病室から居移されたりした場合に筐体１に取り付けられる。また、ネームプレート２は第一の開口部１ａと略同じ形状である。
【００１５】
カバー３は、板状の部材により形成されており、筐体１の第一の開口部１ａを覆う第一の位置と第一の開口部１ａを覆わない第二の位置とをスライドする。すなわち、カバー３は、ネームプレート２を覆う第一の位置とネームプレートを第一の開口部１ａから視認可能とする第二の位置とをスライドする。ここで、第一の開口部１ａから突出する大きさの取っ手３ａをカバー３に設けることで、カバー３のスライドが容易になる。
【００１６】
図１に示すように、第一の開口部１ａは、ネームプレート２の縦方向の長さよりも短い間隔で縦方向に並べられるように筐体１に形成されている。図１に示す例では、筐体１には６つの第一の開口部１ａが形成されている。
【００１７】
図１（ａ）に示す例では、氏名が「○○  ○○」である患者のネームプレート２が筐体の右上方の第一の開口部１ａに取り付けられており、その第一の開口部１ａを覆っていたカバー３の取っ手３ａを右方向にスライドさせることで、カバー３も右方向にスライドする。このとき、カバー３は筐体１の側面に設けた第二の開口部１ｂから突出する。ここで、図２に示すように、第二の開口部１ｂは、カバー３の大きさに合わせて矩形に形成されている。また、図１（ａ）におけるＡ−Ａ´断面図である図３によれば、ネームプレート２の図３中右方にはカバー３が取り付けられている（換言すると、ネームプレート２の前方にカバー３がスライド可能に取り付けられている）。また、このカバー３の断面形状は図２における第二の開口部１ｂと同形状となる。
【００１８】
例えば、全ての患者のプライバシーを保護する場合には、図１（ｂ）に示すように、左側にある全てのカバー３を右方向である第一の位置にスライドさせ、右側にある全てのカバー３を左方向である第二の位置にスライドさせておく。一方、医療従事者が特定の患者の氏名を閲覧する場合には、その患者のネームプレート２が左側にある場合には、そのネームプレート２を覆っているカバー３を左方向である第二の位置にスライドさせ、その患者のネームプレート２が右側にある場合には、そのネームプレート２を覆っているカバー３を右方向である第二の位置にスライドさせる。
【００１９】
表示灯４は、カバー３が第二の位置にスライドする方向以外の位置であり、かつ、ネームプレート２（すなわち第１の開口部１ａ）の近傍に設置されている。また、表示灯４は、筐体１が設置された病室内のナースコール子機により呼び出しが行われた場合に、呼び出しを行っているナースコール子機（すなわち患者）を特定するために点灯または点滅する。
【００２０】
ここで、表示灯４はＬＥＤなどにより構成されている。また、図１に示すように、カバー３が右方向の第二の位置にスライドする場合には、表示灯４は第一の開口部１ａの左側に設置される。また、カバー３が左方向の第二の位置にスライドする場合には、表示灯４は第一の開口部１ａの右側に設置される。
【００２１】
なお、本実施形態では、表示灯４を第一の開口部１ａの右側または左側に設置するようにしているが、これに限定されない。例えば、表示灯４を第一の開口部１ａの上側または下側に設けるようにしても良い。ただし、この場合、上下に並んでいる第一の開口部１ａの間隔がネームプレート２の縦方向の長さよりも短いままである必要がある。
【００２２】
復旧ボタン５は、筐体１が設置されている病室内のナースコール子機により呼び出しが行われ、何れかの表示灯４が点灯または点滅している際に操作可能であり、操作されることで、表示灯４を消灯する。なお、この復旧ボタン５は、本発明における必須の構成要素ではない。
【００２３】
以上詳しく説明したように、本実施形態によれば、患者の氏名を表示するための複数のネームプレート２の手前に、ネームプレート２を覆う第一の位置とネームプレート２を閲覧可能とする第二の位置とを手動にてスライドするカバー３を設け、ネームプレート２の縦方向の長さよりも短い間隔でネームプレート２を複数並べて視認可能とする第一の開口部１ａ、および、カバー３が第二の位置にスライドしている際にカバー３を筐体１の外部に突出させる第二の開口部１ｂを筐体１に設けて、カバー３が第二の位置にスライドする方向以外の位置であり、かつ、ネームプレート２の近傍に設けられ、呼び出しを行っている患者を特定するための表示灯４を筐体１に設けるようにしている。
【００２４】
これにより、患者の氏名を表示するためのネームプレート２を、このネームプレート２の縦方向の長さよりも短い間隔で縦方向に並べ、ネームプレート２を隠すカバー３を左右方向にスライドさせているので、カバー３を設けてもネームプレート２の間隔が狭くなり、廊下灯の筐体１を大型化させることなく、複数の患者の個別のプライバシーを保護することができる。また、呼び出しを行っている患者を特定するための表示灯４をカバー３のスライド方向以外の位置に設けたので、廊下灯の筐体１を大型化させることなく呼び出しを行った患者を特定することができる。
【００２５】
なお、前述した実施形態では、第一の開口部１ａを縦３列、横２列で形成しているが、これに限定されない。例えば、第一の開口部１ａを縦２列、横２列で形成しても良いし、縦３列、横１列で形成しても良い。すなわち、本発明により第一の開口部１ａは、縦方向に２列以上、横方向に１列または２列で形成されていれば良い。
【００２６】
また、前述した実施形態では、左右方向にスライドするカバー３のみで患者のプライバシーを保護しているが、これに限定されない。例えば、ネームプレート２の前面に上下方向にスライドする大型カバーを取り付け、その大型カバーに左右方向にスライドするカバー３を取り付けるようにしても良い。これにより、前述した実施形態では、全てのネームプレート２に表示されている患者の氏名を閲覧するためには、全てのカバー３をスライドさせる必要があるが、本変形例では、大型カバーを上方向にスライドさせるだけで、全てのネームプレート２に表示されている患者の氏名を閲覧することができるようになる。
【００２７】
また、前述した実施形態では、各カバー３（またはネームプレート４）に対応した位置に表示灯４を設けているだけであるが、これに限定されない。例えば、筐体の両側や上部などに呼び出しが行われていることを点灯／点滅表示する代表灯を設けるようにしても良い。
【００２８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２９】
１    筐体
１ａ    第一の開口部
１ｂ    第二の開口部
２    ネームプレート
３    カバー
３ａ    取っ手
４    表示灯
５    復旧ボタン
【図１】
2013226333.tif 000003
【図２】
2013226333.tif 000004
【図３】
2013226333.tif 000005